(57)【要約】【課題】  輸送時や工事の際にロータリーバルブの上下動を必要最小限に抑え得ることができる膜式ガスメーターを提供することを目的とする。【解決手段】  隔壁を隔てて存在する二つの計量室１のそれぞれに、外周縁が気密状態に定着されたのう膜１３を挟む二つの気室１１を備え、該二つの気室１１のガスの給排気による前記のう膜１３の進退変位をそれぞれ回転運動に変換してガスの計量を行う膜式ガスメーターにおいて、前記気室１１へのガスの給排気を制御するロータリーバルブ３の周縁部の浮きを抑える規制ガイド５４を備えていることを特徴とする。【選択図】      図１
2005201865.tif 000002
【特許請求の範囲】
【請求項１】
隔壁を隔てて存在する二つの計量室（１）のそれぞれに、外周縁が気密状態に定着されたのう膜（１３）を挟む二つの気室（１１）を備え、該二つの気室（１１）のガスの給排気による前記のう膜（１３）の進退変位をそれぞれ回転運動に変換してガスの計量を行う膜式ガスメーターにおいて、
前記二つの気室（１１）へのガスの給排気を制御するロータリーバルブ（３）の周縁部の浮きを抑える規制ガイド（５４）を備えていることを特徴とする膜式ガスメーター。
【請求項２】
前記ロータリーバルブ（３）の周縁部と前記規制ガイド（５４）との間には、膜式ガスメーターの稼働時において前記ロータリーバルブ（３）に対して非接触となる程度の隙間（６）が備えてあることを特徴とする請求項１記載の膜式ガスメーター。
【発明の詳細な説明】
【技術分野】
【０００１】
本発明は、隔壁を隔てて存在する二つの計量室のそれぞれに、外周縁が気密状態に定着されたのう膜（計量膜）を挟む二つの気室を備え、該二つの気室のガスの給排気による前記のう膜（計量膜）の進退変位をそれぞれ回転運動に変換してガスの計量を行う膜式ガスメーターに関するものである。
【背景技術】
【０００２】
この種の膜式ガスメーターは、計量室１の上部に円形の開口部２１を備えた弁座２が形成されており、開口部２１は円形の中央開口部２１ａと、その周囲を４分割した扇状開口部２１ｂとからなっている（図４参照）。弁座２の中心にはバルブ軸２４が弁座２に対して直角方向に突出して設けられており、バルブ軸２４の上端には碗状をなしたロータリーバルブ３が回転自在に支持されている。その結果、ロータリーバルブ３のシール面は弁座２に摺接しながら回転し、弁座２に分割形成された開口部２１を順次開閉することによって、計量室１が備える気室１１及び誘導路１２の切り換えが行われ、計量室１内へのガスの給排気の制御を行うものである。
【特許文献１】実開平６−１２９２２号公報
【０００３】
前記ロータリーバルブ３の回転運動源は、のう膜（計量膜）１３の進退変位を、のう膜１３の中央に固定された丁番１４と、丁番１４に揺動可能に支持された翼板１５とを介して、翼板１５の揺動軸１６と平行に支持された翼軸１７に回転角度が規制された正逆転交互運動として伝えられ、正逆転交互運動がリンク機構４１を介してクランクアーム４２の受動軸４３に加えられ、クランクアーム４２がクランク軸４４を中心に旋回することによって形成される（図６参照）。
【０００４】
従来、ロータリーバルブ３は、クランクアーム４２及びリンク機構４１を含む運動変換手段４の下方において、そのクランク軸４４の延長線上に存在しクランク軸４４とは分離したバルブ軸２４において支持され、前記クランクアーム４２の回転運動を、クランクアーム４２の旋回部分に設けた伝達ピン４５から受ける形で回転する構造となっていた。
【発明の開示】
【発明が解決しようとする課題】
【０００５】
しかしながら、従来のロータリーバルブ３は、運動変換手段４のみでバルブ軸２４の長手方向への移動（以下、上下動と記す。）が規制されていることから、ガスメータの稼働時は、使用されるガスの引きによって弁座２に吸着されているが、輸送時等においては、揺れや衝撃によって上方に配置されている運動変換手段４と頻繁に衝突し、ロータリーバルブ３及び運動変換手段４の双方に破損が生じる問題があった。
【０００６】
そこで、本発明は、上記問題を解決するためになされたものであり、輸送時や工事の際にロータリーバルブの上下動を必要最小限に抑え得ることができる膜式ガスメーターを提供することを目的とする。
【課題を解決するための手段】
【０００７】
上記課題を解決するために、本発明のうち請求項１記載の発明は、隔壁を隔てて存在する二つの計量室のそれぞれに、外周縁が気密状態に定着されたのう膜（計量膜）を挟む二つの気室を備え、該二つの気室のガスの給排気による前記のう膜（計量膜）の進退変位をそれぞれ回転運動に変換してガスの計量を行う膜式ガスメーターにおいて、前記二つの気室へのガスの給排気を制御するロータリーバルブの周縁部の浮きを抑える規制ガイドを備えていることを特徴とする。
【０００８】
ここで、規制ガイドは、ロータリーバルブの周縁部の全周に亘って備えることが最も望ましいが、数箇所に備える場合は、平均的に備えることが望ましい。また、規制ガイドの形状は、ロータリーバルブの周縁部の浮きを抑えることが可能であれば、特に問うものではない。
【０００９】
また、請求項２記載の発明は、ロータリーバルブの周縁部と規制ガイドとの間に、膜式ガスメーターの稼働時において前記ロータリーバルブに対して非接触となる程度の隙間が備えてあることを特徴とする。
【発明の効果】
【００１０】
本発明のうち請求項１記載の発明によれば、ロータリーバルブにおける周縁部の浮きを抑える規制ガイドを備えたことにより、ロータリーバルブの上下動の規制力を規制ガイドに与えることが可能となり、その結果、ロータリーバルブの衝突によって運動変換手段に与える損傷、或いは、ロータリーバルブ自体の破損や偏った浮きによる軸の曲がりを効果的に防止することができる。
【００１１】
本発明のうち請求項２記載の発明によれば、ロータリーバルブの周縁部と規制ガイドとの間に、膜式ガスメーターの稼働時において前記ロータリーバルブに対して非接触となる程度の隙間を設けたことにより、ロータリーバルブの回転に抵抗を与えることなくロータリーバルブの浮きを必要最小限に抑えることができる。
【発明を実施するための最良の形態】
【００１２】
以下、本発明のガスメーターの実施形態について図面に基づいて説明する。
尚、従来例と共通する部分には同一の符号を付けるものとする。
【００１３】
図１は、本発明の膜式ガスメーターの要部を示す側面図であり、図２はその側断面図であり、図３はその平面図である。計量室１の上部に、円形の開口部２１を備えた弁座２を形成し、開口部２１は、円形の中央開口部２１ａと、その周囲を４分割した扇状開口部２１ｂとからなっている。弁座２には、図４に示すように、その中心にバルブ軸２４が弁座２に対して直角に支持されるように軸受穴２２が形成されており、軸受穴２２を中心とする弁座２の表面には、ロータリーバルブ３が回転摺動する為の平滑なバルブシート面２３が形成されている。
【００１４】
前記ロータリーバルブ３は、フェノール樹脂等の熱硬化性樹脂からなり、内側に前記中央開口部２１ａと一つの扇状開口部２１ｂとを連通させる中継室３１を備えたドーム状を成しており、前記バルブシート面２３に密着する平滑な回転摺動面３２を下向きに備え、該回転摺動面３２の外周から同心状に突出するリム部３３が下端部に形成されている。前記回転摺動面３２には、図５に示すように、前記中継室３１に通じる窓穴３２ａと、前記扇状開口部２１ｂの一つを開く形状の窓穴３２ｂとが、前記扇状開口部２１ｂ一つ分だけ隔てて設けられている。
【００１５】
また、前記ロータリーバルブ３の中央には上下に貫通する軸受穴３４が形成され、該軸受穴３４は、前記中継室３１の内部において円筒状の隔壁３５に覆われ、該隔壁３５の下面が前記弁座２に設けられた軸受穴２２の縁に形成されたバルブシート面２３に密着する平滑な回転摺動面３２を構成する。該軸受穴３４に熱可塑性樹脂製のクランクアーム４２と一体成形された軸受３６が挿通されると共に、該軸受３６の内側に前記バルブ軸２４とクランク軸４４とを兼ねた一本の支軸４６が装填され、クランクアーム４２から前記弁座２の軸受穴２２に亘って一連の回転軸を構成し、クランクアーム４２とロータリーバルブ３の同軸回転を実現する。
【００１６】
尚、前記ロータリーバルブ３の回転運動源は、従来の膜式ガスメーターと同様に、前記のう膜（計量膜）１３の進退変位である。該のう膜（計量膜）１３の進退変位を、該のう膜（計量膜）１３の中央に固定された丁番１４、及び該丁番１４に揺動可能に支持された翼板１５を介して、該翼板１５の揺動軸１６と平行に支持された翼軸１７に、回転角度が規制された正逆転交互運動として伝えることにより、該正逆転交互運動がリンク機構４１を介してクランクアーム４２の受動軸４３に加わり、該クランクアーム４２がクランク軸４４である前記支軸４６を中心に旋回する回転運動となる。該回転運動は、前記ロータリーバルブ３の上方に位置する前記支軸４６の軸受を兼ねたクランクギヤ４７と噛み合う歯車４８を介して最終的にはカウンタ（図示省略）を駆動させる。
【００１７】
前記歯車４８は、前記計量室１の上端にビス５３止めされる支持部５によって支持されており、該支持部５は、図３に示すように、略コ字状をなした脚部５１と、前記歯車４８に一体形成された回転軸４９を嵌め込む軸受部５２とから構成され、各部５１，５２は一体的に形成されている。前記脚部５１は、前記歯車４８の上方に位置し且つ上端に軸受部５２を備える上部５１ａと、該上部５１ａの両端から下方に向かって垂下し且つ下端面が前記計量室１の上端面に当接する側部５１ｂと、該側部５１ｂの下端から内側に向かって内部に前記ロータリーバルブ３を収容するように水平に突出する下部５１ｃとから構成され、該下部５１ｃをビス５３止めすることで、前記計量室１の上方に支持部５を安定に固定するものである。
【００１８】
前記下部５１ｃの先端は、前記ロータリーバルブ３の中心部まで延びており、その先端部の内側には、前記ロータリーバルブ３の周縁部の浮きを抑えるための突起部５４が上方に向かって垂直に突設されている。該突起部５４は、先端部が内側に向かって９０°に屈折した形状をしており、その先端部において前記ロータリーバルブ３のリム部３３の上下動を規制するものである。前記突起部５４の先端部と前記リム部３３との間には隙間６が設けてあり、前記ロータリーバルブ３の回転に抵抗を与えないようにしながら、前記ロータリーバルブ３の上下動を必要最小限に抑えることができる。
【００１９】
本発明の膜式ガスメーターは、前記記載の実施形態に限るものではなく、例えば、突起部５４をロータリーバルブ３のリム部３３の全周、或いは、大部分に亘って一連に設ける形にしてもよいし、全周に亘って間欠的、或いは、平均的に設ける形にしてもよい。また、必ずしもロータリーバルブ３にリム部３３を設ける必要はなく、リム部３３がない場合には、突起部５４の形状をロータリーバルブ３の周縁部の形状に合わせた形に形成すればよい。
【図面の簡単な説明】
【００２０】
【図１】本発明の膜式ガスメーターの要部を示す側面図である。
【図２】本発明の膜式ガスメーターの要部を示す側断面図である。
【図３】本発明の膜式ガスメーターの要部を示す平面図である。
【図４】弁座の開口部を示す平面図である。
【図５】ロータリーバルブの回転摺動面を示す平面図である。
【図６】従来の膜式ガスメーターの全体を示す一部を切欠した正面図である。
【符号の説明】
【００２１】
１  計量室
３  ロータリーバルブ
６  隙間
１１  気室
１３  のう膜（計量膜）
５４  突起部（規制ガイド）
【図１】
2005201865.tif 000003
【図２】
2005201865.tif 000004
【図３】
2005201865.tif 000005
【図４】
2005201865.tif 000006
【図５】
2005201865.tif 000007
【図６】
2005201865.tif 000008